(57)【特許請求の範囲】
【請求項１】
橋桁の橋軸方向端部に、一方の端部が取り付けられ、かつ前記橋桁と対向する橋桁の橋軸方向端部又は橋台に、他方の端部が取り付けられた連結部材により前記橋桁が橋脚、橋台等の下部構造から落下するのを防止するための落橋防止装置であって、
前記橋桁の端部又は前記橋台に設けられ、前記連結部材が挿通される挿通孔を有するブラケットと、
このブラケットに橋軸方向に圧縮変形するように一方の面が固定され、前記連結部材が挿通される挿通孔を有する緩衝ゴム体と、
この緩衝ゴム体の他方の面に固定され、前記連結部材が挿通される挿通孔を有する支圧板と、
前記緩衝ゴム体及び前記支圧板の各挿通孔に挿通されて前記支圧板から突出する前記連結部材の端部に固定されたストッパと、
前記ブラケットから突出する連結部材の外周に配置され、かつ前記緩衝ゴム体及び前記支圧板の各挿通孔に挿入されて一端が前記ブラケットに係止し、他端が前記ストッパに係止するコイルスプリングと、
前記支圧板から突出する前記連結部材を覆うように、前記支圧板に固定される筒状のカバーと
を備えてなる落橋防止装置。
【発明の詳細な説明】
【０００１】
【発明の属する技術分野】
この発明は、地震等の災害時に橋桁が橋脚や橋台等の下部構造から落下するのを防止する落橋防止装置に関する。
【０００２】
【従来の技術】
地震等により橋脚や橋台に水平力が作用すると、橋脚や橋台の損壊のみならず、それらが振動して橋桁が落下すなわち落橋するという被害をもたらす。このような橋桁の落下を防止するための落橋防止として、橋脚上の桁間や橋台と桁とをＰＣケーブルにより連結するもの、あるいはリンクにより連結するものが知られている。しかし、これらの装置は特に巨大地震の場合、ＰＣケーブルあるいはリンクと桁との連結部に大きな衝撃力が加わり、連結部で破壊してしまうという現象を生じている。
【０００３】
このため、近年、ＰＣケーブルを用いた落橋防止装置において、ＰＣケーブルと橋桁とを連結するブラケットに、スプリングとゴムとを組合わせた緩衝機構を取付けたものが種々開発されている。しかし、これらの緩衝機構を有するものは、構造が複雑であって全体形状も大きく、高コストであるという問題がある。
【０００４】
【発明が解決しようとする課題】
この発明は上記のような技術的背景に基づいてなされたものであって、次の目的を達成するものである。
この発明の目的は、構造が簡素化されて全体形状もコンパクト化し、製造コストの低減を図ることができる落橋防止装置を提供することにある。
【０００５】
【課題を解決するための手段】
この発明は上記課題を達成するために、次のような手段を採用している。
すなわち、この発明は、橋桁の橋軸方向端部に、一方の端部が取り付けられ、かつ前記橋桁と対向する橋桁の橋軸方向端部又は橋台に、他方の端部が取り付けられた連結部材により前記橋桁が橋脚、橋台等の下部構造から落下するのを防止するための落橋防止装置であって、
前記橋桁の端部又は前記橋台に設けられ、前記連結部材が挿通される挿通孔を有するブラケットと、
このブラケットに橋軸方向に圧縮変形するように一方の面が固定され、前記連結部材が挿通される挿通孔を有する緩衝ゴム体と、
この緩衝ゴム体の他方の面に固定され、前記連結部材が挿通される挿通孔を有する支圧板と、
前記緩衝ゴム体及び前記支圧板の各挿通孔に挿通されて前記支圧板から突出する前記連結部材の端部に固定されたストッパと、
前記ブラケットから突出する連結部材の外周に配置され、かつ前記緩衝ゴム体及び前記支圧板の各挿通孔に挿入されて一端が前記ブラケットに係止し、他端が前記ストッパに係止するコイルスプリングと、
前記支圧板から突出する前記連結部材を覆うように、前記支圧板に固定される筒状のカバーと
を備えてなる落橋防止装置にある。
【０００６】
【発明の実施の形態】
この発明の実施の形態を図面を参照しながら以下に説明する。図１及び図２はは、この発明の実施形態を示し、図１は橋軸直角方向に沿って見た全体正面図、図２は水平断面図である。この実施形態は、２径間以上の単純桁の桁間に、この発明を適用した例である。この単純桁橋においては、下部構造である橋脚２の上部に橋桁３，３の橋軸方向各端部が間隔を置いて対向して設置される。
【０００７】
落橋防止装置１，１は橋桁３，３の各端部に取り付けられ、これらの桁端部を連結する部材である連結ケーブル４を有している。図２に示すように、落橋防止装置１はブラケット５を有し、このブラケット５は橋桁３のウェブ（鋼桁の場合）にライナープレート６を介して多数の取付ボルト７により固定される取付プレート８と、取付プレート８に設けられた上下一対の水平プレート９，９と、これらの水平プレート９，９の中間部を横切る橋軸方向に直角な鉛直プレート１０と、水平プレート９，９間に設けられた一対の仕切プレート１１，１１とからなっている。
【０００８】
鉛直プレート１０には緩衝ゴム体１２の一方の面が固定され、この緩衝ゴム体１２の他方の面には支圧板１３が固定されている。すなわち、緩衝ゴム体１２は鉛直プレート１０と支圧板１３との間に挟まれるようにして、複数のボルト１４により鉛直プレート１０に固定されている。これら緩衝ゴム体１２及び支圧板１３は方形のものであり、大気に露出した状態で鉛直プレート１０に取り付けられている。このため、緩衝ゴム体１２としては耐候性の良いゴム、例えばクロロプレンゴム等が使用される。また、支圧板１３の露出面は溶融亜鉛メッキ処理が施される。ボルト１４の締め付け程度は、鉛直プレート１０と緩衝ゴム体１２との間、及び緩衝ゴム体１２と支圧板１３との間に雨水等が侵入しない程度であり、緩衝ゴム体１２には圧縮力を加えない。
【０００９】
水平プレート９及び仕切プレート１１，１１により区画された空間１５の入口部には偏向ブロック１６が固定されている。この偏向ブロック１６はポリエチレン等の合成樹脂を成形した２つの分割ブロックからなり、入口側が漸次広がる連結ケーブル４の挿通孔１７を有している。
【００１０】
鉛直プレート１０、緩衝ゴム体１２及び支圧板１３は、連結ケーブル４の挿通孔１８，１９，２０を有している。連結ケーブル４は、偏向ブロック１６、鉛直プレート１０、緩衝ゴム体１２及び支圧板１３の各挿通孔に挿通され、端部２１が支圧板１３から突出している。なお、この連結ケーブル４はＰＣ鋼より線２２ａと、ＰＣ鋼より線２２ａが挿入固定される鋼製のマンション２２ｂと、ＰＣ鋼より線２２ａを被覆する合成樹脂製の被覆材２２ｃとからなっている。
【００１１】
連結ケーブル４の端部２１すなわちマンション２２ｂの端部２１には、雄ねじ部２３が形成されている。この雄ねじ部２３には、それぞれストッパを構成するワッシャ２４とナット２５が装着されている。鉛直プレート１０から突出する連結ケーブル４の外周には、これよりも僅かに径が大きい円筒形コイルスプリング２６が配置されている。このコイルスプリング２６は緩衝ゴム体１２及び支圧板１３の各挿通孔１９，２０に一部が挿入され、一端が鉛直プレート１０に係止し、他端がワッシャ２４に係止している。ナット２５の装着位置を適宜変えることにより、コイルスプリング２６のばね力を変化させることが可能である。
【００１２】
支圧板１３から突出する連結ケーブル４は、カバー２７で被覆されている。カバー２７は先端が開放して後端が閉鎖した円筒形のもので、その先端開放側がボルト２８により水密的に支圧板１３に固定されている。このカバー２７は鋼製あるいはポリエチレン製のものであり、鋼製とする場合には表面に溶融亜鉛メッキ処理が施される。
【００１３】
上記落橋防止装置において、大地震により橋桁３が慣性力を受けると、連結ケーブル４には水平方向の衝撃力Ｐが作用する。この衝撃力によりコイルスプリング２６が圧縮変形して、緩衝ゴム体１２及び支圧板１３の各挿通孔１９，２０の内部に押し込められる。この結果、ワッシャ２４が支圧板１３に衝合し、緩衝ゴム体１２が橋軸方向に圧縮変形する。この緩衝ゴム体１２の圧縮変形により、衝撃が緩和される。
【００１４】
支圧板１３の挿通孔２０の周縁には支圧パイプ３０を設けるようにしてもよい。このような支圧パイプ３０を設けることにより、コイルスプリング２６はその圧縮変形時に挿通孔１９，２０及び支圧パイプ３０の内部に確実に押し込まれることになる。したがって、支圧板１３を厚くすることなく、緩衝ゴム体１２に確実に水平力を作用させることができる。
【００１５】
上記実施形態のものによれば、コイルスプリング２６が緩衝ゴム体１２及び支圧板１３の各挿通孔１９，２０に挿入配置されるので、全体長さが短くなる。緩衝ゴム体１２及び支圧板１３を露出状態とし、カバー２７は支圧板１３から突出する連結ケーブル４のみを覆うものとしたので、カバーが小さくて済む。コイルスプリングは円筒形のものであるので、円錐形のものに比べてコストが安く、ばねの強度計算も容易である。以上により、構造が簡素化されて、全体形状もコンパクト化し、製造コストが低減する。
【００１６】
上記実施形態は例示にすぎず、この発明は種々の形態を採ることができる。例えば、上記実施形態では橋脚上の桁間を連結する構造を示したが、橋台と橋桁とを連結する場合にも、この発明を適用できる。
【００１７】
【発明の効果】
以上のように、この発明によれば、構造が簡素化されて全体形状もコンパクト化し、製造コストの低減を図ることができる。
【図面の簡単な説明】
【図１】この発明の実施形態を示し、橋軸直角方向に沿った方向視による正面図である。
【図２】同実施形態の水平断面図である。
【符号の説明】
１：落橋防止装置
２：橋脚
３：橋桁
４：連結ケーブル
５：ブラケット
１０：鉛直プレート
１２：緩衝ゴム体
１３：支圧板
１４：ボルト
１７：挿通孔
１８：挿通孔
１９：挿通孔
２０：挿通孔
２１：端部
２４：ワッシャ
２５：ナット
２６：コイルスプリング
２７：カバー
【図１】
0003768144.tif 000002
【図２】
0003768144.tif 000003